(57)【特許請求の範囲】
【請求項１】
脚部を備えた脚柱パイプに座部を脚柱によって回動可能に連結した回転椅子において、筒状に構成した脚柱パイプに脚柱を挿入して回動可能に支持し、前記脚柱の上部に受け部を設け、この受け部に一体に取り付けた支持材に固定部および円柱を設け、テーブルを取り付けた支持軸の端部を、前記支持材の固定部に固定し、座部の下部に設けた座受け筒に前記支持材の円柱を嵌めて脚柱を中心に座部を回動可能にし、前記支持軸および脚柱が一体となって脚柱パイプを中心にして座部の周囲に沿って回動して所望の個所にテーブルを移動させることができるようにしたことを特徴とする回転椅子。
【請求項２】
請求項１において、椅子の背もたれを座部に一体に取り付けたことを特徴とする回転椅子。
【発明の詳細な説明】
【０００１】
【発明の属する技術分野】
本発明はテーブルを備えた回転椅子に関するものである。
【０００２】
【従来の技術】
従来、図１２に図示するような座部やフレームにテーブルを一体に取り付けた椅子がある。
このような椅子は、テーブルがないところでも簡単な事務仕事や読書などの作業ができる椅子として使うことができ、しかも構造が簡単なので持ち運びも楽に行えるもので便利なものである。
【０００３】
【発明が解決しようとする課題】
しかし、このようなテーブルを備え付けた椅子であっても、例えば、図１２に図示する従来技術のように、テーブルが右寄りに設置してある場合には、利き手が左である人は肘が浮いてしまい満足に作業が行えず、左寄りにある場合でも同様に利き手が右である人が作業を満足に行えないという問題がある。
【０００４】
また、テーブルを必要としないときは、テーブルが邪魔になるという問題もある。
【０００５】
【課題を解決するための手段】
そこで、脚部を備えた脚柱パイプに座部を脚柱によって回動可能に連結した回転椅子において、筒状に構成した脚柱パイプに脚柱を挿入して回動可能に支持し、前記脚柱の上部に受け部を設け、この受け部に一体に取り付ける支持材に固定部および円柱を設け、テーブルを取り付けた支持軸の端部を、前記支持材の固定部に固定し、座部の下部に設けた座受け筒に前記支持材の円柱を嵌めて脚柱を中心に座部を回動可能にし、上記受け部と支持材を連結するようにし、前記支持軸および脚柱が一体となって脚柱パイプを中心にして座部の周囲に沿って回動して所望の個所にテーブルを移動させることができるようにしたことを特徴とする。
【０００６】
さらに、椅子の背もたれを支持軸に設けたテーブルの高さよりも低く設置し、テーブルを座部の周りを３６０度回動可能に設置したことを特徴とする。
また、支持軸に取り付けるテーブルの平面形状を略Ｌ字形にし、そのＬ字形のテーブルの端で支持軸に取り付けたことを特徴とする。
また、テーブルをその中ほどの位置で取り付けたことを特徴とする。
【０００７】
また、側部にテーブルを備えた背もたれを取り付けた支持軸の端部を、支持材の固定部に固定し、所望の個所にテーブルを備えた背もたれを移動させることができるようにしたことを特徴とする。
脚部を備えた脚柱パイプに座部を脚柱によって回動可能に連結した回転椅子において、筒状に構成した脚柱パイプに脚柱を回動可能に設置し、前記脚柱の上部に受け部を嵌合し、この受け部に一体に取り付ける支持材に固定部および円柱を設け、テーブルを取り付けた支持軸の端部を、前記支持材の固定部に固定し、座部の下部に設けた座受け筒に前記支持材の円柱を嵌めて脚柱を中心に座部を回動可能にし、前記支持軸および脚柱が一体となって脚柱パイプを中心にして座部の周囲に沿って回動して所望の個所にテーブルを移動させることができるようにしたことを特徴とする。
【０００８】
【発明の実施の形態】
以下、図を用いて本発明の実施の形態を説明する。
第１の実施の形態例
図１は本発明の第１の実施の形態を示す説明図であり、図２は側面説明図、図３は分解図、図４は要部分解図、図５は断面図である。
【０００９】
１は椅子であり、脚部２と座部３と背もたれ４と脚柱５から成り立っている。
脚部２の下端にはそれぞれキャスター６が取り付けてある。２０は脚柱の高さを調節するためのハンドルである。座部３の下部には座受け部７と、筒状に形成された座受け筒８が設けてある。
１９は筒状に形成された脚柱パイプであり、内周面には突起２１が設けてある。脚柱５はその端部にワッシャ２２を嵌めて脚柱パイプ１９に挿入し、さらにワッシャ２３および止め具２４で反対側から脚柱５を係止し、ワッシャ２２とワッシャ２３が突起２１に接して脚柱５を係止して脚柱５が脚柱パイプ１９から抜けないようにするとともに、回動可能に支持するように構成している。
【００１０】
９は支持材であり、円形に形成され、脚柱５の上部に設けられた受け部１０にネジ１１およびネジ１８で一体に固定される。
一方、支持材９には座受け筒８と嵌合して座部３を取り付けるための円柱１２が円心に設けられており、後述する支持軸１６を固定するための固定部１３が設けられている。座部３に設けられた座受け筒８と円柱１２とを嵌め合わせて、ネジ１４により座受け筒８が円柱８に対して上下移動によって外れるのを防止し、かつ回動可能に支持する。
【００１１】
１５は多用途のテーブル、１６は支持軸であり、テーブル１５は支持軸１６の上部に取り付けてあり、その支持軸１６は図1において椅子の座部３の下部に沿って曲折してその端部を前記支持材９の固定部１３にネジ１７で、固定部１３および受け部１０にネジ１８によって固定される。
その結果、テーブル１５は支持材９および受け部１０を介して脚柱５と一体に脚柱パイプ１９を中心に座部３の周りを図６に示す如く、時計回りおよび反時計回りに自由に回動させ、所望の個所に位置し保持することができる。
【００１２】
なお、支持軸は図面においては断面形状が四角である角パイプを図示しているが、本発明は形状に依ることはない。また、支持材９は受け部１０と一体に形成して脚柱５に設けることも可能である。
また、支持軸１６の上部には肘当て等を取り付けても良く、テーブルに限定されない。
【００１３】
さらに、本発明は背もたれや高さ調節のハンドル２０が具備されていない椅子にも適用可能であり、脚部２も図１に示した形に限定されることはない。
第２の実施の形態例
第２の実施の形態例を図７に示す。
本実施の形態例では、支持軸１６の上部に取り付けたテーブル１５の高さよりも背もたれ４が低い位置にくるように、支持軸１６の高さよりも背もたれ４の高さを低くしてある。その他の構成は第１の実施の形態例の構成と同様である。
【００１４】
このように構成することによりテーブル１５は支持軸１６を介して脚柱５と一体に脚柱パイプ１９を中心に背もたれ４にぶつかることなく、座部３の周りを３６０度回動させることが可能である。
これによって、テーブルが必要のない場合にはテーブル１５を背もたれ４の後ろに回しておくことができる。
【００１５】
第３の実施の形態例
第３の実施の形態例を図８に示す。
本実施の形態例では、テーブル１５をＬ字形やブーメラン形等の所望角度のＬ字形に形成して、支持軸１６の上端にテーブル１５の端を取り付け、テーブル１５は支持軸１６を介して脚柱５と一体に脚柱パイプ１９を中心に座部３の回りを回動可能に構成した。その他の構成は第１の実施の形態例の構成と同様である。
【００１６】
このように構成することにより使用者は支持軸１６をまたぐことなくテーブルとして使用することが可能である。
第４の実施の形態例
第４の実施の形態例を図９に示す。本実施の形態例では、支持軸１６を中心に対称となるような位置にテーブル１５を支持軸１６の上端に取り付け、テーブル１５が支持軸１６を介して脚柱５と一体に脚柱パイプ１９を中心に座部３の回りを回動可能となるように構成した。その他の構成は第１の実施の形態例にて説明した構成と同様である。
【００１７】
このように設置することで使用者の利き手に依らず、テーブルや肘当てとして使用することが可能である。
第５の実施の形態例
第５の実施の形態例を図１０に示す。本実施の形態例では、背もたれ４を座部３と分離させ、しかもその一端にテーブル１５を取り付け、支持軸１６の上部に、テーブル１５を備えた背もたれ４を取り付けた構造である。テーブル１５を備えた背もたれ４は支持軸１６を介して脚柱５と一体に脚柱パイプ１９を中心に座部３の回りを回動可能に構成する。
【００１８】
支持軸１６およびその他の構成は上記第１の実施の形態例の構成と同様である。
このように構成することによりテーブル１５を備えた背もたれ４を座部３および脚柱パイプ１９に対して回動自在とすることが可能となる。
【００１９】
【発明の効果】
本発明によれば、多用途テーブルを支持軸および支持材に設けた固定部を介して脚柱と一体に脚柱パイプを中心にして回動可能にしたことにより、テーブルを所望の個所に移動させることができ、利き手によらず作業しやすい姿勢を得ることができる。
【００２０】
さらに、テーブルを支持軸で支持したことにより、支持軸をまたいで正面で本を読むときなどに適した図１１に示す如く、所望の姿勢を形成することができる。
会議用、講演会用などのメモ記入、読書用、ノートパソコン用、マウスパッド用や、医師のカルテ記入用等多くの目的に使用できる多目的椅子となる効果を有する。
【００２１】
また、本発明の第２の実施の形態によれば、多用途テーブルを背もたれよりも高く設置することで、テーブルが必要でないときは背もたれの後ろにテーブルを回転移動させれば、邪魔にならないという効果がある。
また、本発明の第３の実施の形態によれば、和服やスカート等着用時でも支持軸をまたぐことなく正面でテーブルを使用でき、所望の姿勢を形成することができる。
【００２２】
また、本発明の第４の実施の形態によれば、利き手に依らずテーブルを使用することが可能になる。
また、本発明の第５の実施の形態によれば、椅子に座ったままテーブルを備えた背もたれを回転させて所望の位置に移動させることができる。
【図面の簡単な説明】
【図１】第１の実施の形態を示す説明図
【図２】第１の実施の形態を示す側面説明図
【図３】第１の実施の形態を示す分解図
【図４】第１の実施の形態を示す要部分解図
【図５】第１の実施の形態を示す断面図
【図６】第１の実施の形態を示す平面図
【図７】第２の実施の形態を示す説明図
【図８】第３の実施の形態を示す説明図
【図９】第４の実施の形態を示す説明図
【図１０】第５の実施の形態を示す説明図
【図１１】本発明による多用途テーブルの使用例図
【図１２】従来例を示す説明図
【符号の説明】
１  椅子
２  脚部
３  座部
４  背もたれ
５  脚柱
６  キャスター
７  座受け部
８  座受け筒
９  支持材
１０  受け部
１１  ネジ
１２  円柱
１３  固定部
１４  ネジ
１５  テーブル
１６  支持軸
１７  ネジ
１８  ネジ
１９  脚柱パイプ
２０  ハンドル
２１  突起
２２、２３  ワッシャ
２４  止め具
【図１】
0004672922.tif 000002
【図２】
0004672922.tif 000003
【図３】
0004672922.tif 000004
【図４】
0004672922.tif 000005
【図５】
0004672922.tif 000006
【図６】
0004672922.tif 000007
【図７】
0004672922.tif 000008
【図８】
0004672922.tif 000009
【図９】
0004672922.tif 000010
【図１０】
0004672922.tif 000011
【図１１】
0004672922.tif 000012
【図１２】
0004672922.tif 000013